(57)【要約】      （修正有）【課題】構成部材の一部を簡単に交換することができる耐久性の良いパレットを提供する。【解決手段】平行に配設された複数の中空の桁材２と、桁材に直交するように桁材に一定間隔で載置された複数の中空のデッキ材４と、デッキ材の両端に出し入れ可能に設けられたデッキ中材３１と、桁材の側面とデッキ材の底面を連結して固定する固定部材３３とを有する。桁材に、デッキ材の両端から突出するデッキ中材を挿入する凹部１３と、デッキ材の両端部を支持する支持部９とが形成されている。固定部材３３は、桁材の側壁を貫通する第１固着部材３７と、デッキ材の底壁及びデッキ中材の底壁を貫通する第２固着部材３８により固定されている。【選択図】図１０
2019048655.tif 000002
【特許請求の範囲】
【請求項１】
平行に配設された複数の中空の桁材と、
前記桁材に直交するように前記桁材に一定間隔で載置された複数の中空のデッキ材と、
前記デッキ材の両端に出し入れ可能に設けられたデッキ中材と、
前記桁材の側壁と前記デッキ材の底壁を連結して固定する固定部材とを有し、
前記桁材に、前記デッキ材の両端から突出する前記デッキ中材を挿入する凹部と、前記デッキ材の両端部を支持する支持部とが形成され、
前記固定部材は、前記桁材の側壁を貫通する第１固着部材と、前記デッキ材の底壁及び前記デッキ中材の底壁を貫通する第２固着部材とにより固定されていることを特徴とするパレット。
【請求項２】
前記桁材の間に配設され、前記デッキ材の中間部を支持する中間桁材と、
前記中間桁材の側壁と前記デッキ材の底壁を連結して固定する中間固定部材とをさらに有し、
前記中間固定部材は、前記中間桁材の側壁を貫通する第３固着部材と、前記デッキ材の底壁を貫通する第４固着部材により固定されていることを特徴とする請求項１に記載のパレット。
【請求項３】
前記デッキ材は、両側端より下方に突出するリブを有し、前記リブの下面が前記支持部に支持されていることを特徴とする請求項１又は２に記載のパレット。
【請求項４】
前記凹部は、前記桁材の上面と、該上面から立ち上がる垂直片と、該垂直片の上端から水平に延びる水平片とで形成され、前記デッキ材の端面に向かって開口していることを特徴とする請求項１〜３のいずれかに記載のパレット。
【請求項５】
前記桁材の上壁に段部が形成され、前記段部の内側に前記支持部が形成され、前記段部の外側に凹部が形成され、前記支持部は前記凹部より低い位置に形成されていることを特徴とする請求項１〜４のいずれかに記載のパレット。
【請求項６】
前記デッキ中材は、中空で、前記デッキ材の幅方向に両端が開口していることを特徴とする請求項１〜５のいずれかに記載のパレット。
【請求項７】
前記デッキ中材は、中空で、前記デッキ材の長手方向に両端が開口していることを特徴とする請求項１〜５のいずれかに記載のパレット。
【発明の詳細な説明】
【技術分野】
【０００１】
本発明は物品を載置してフォークリフトで運搬するための荷役用のパレットに関し、詳しくはデッキ材などの構成部材を部分的に交換することが可能なパレットに関する。
【背景技術】
【０００２】
近年、荷役用のパレットとして、アルミニウム押出成形材で構成された溶接型のアルミニウム製パレットが多く使用されている。パレットを繰り返し使用すると、物品と接触するデッキ材の搭載面に破損や割れが生じたり、フォークリフトのフォークが干渉する桁材やデッキ材に曲りや凹みが生じやすい。アルミニウム製パレットの多くは、溶接による一体構造である。損傷した部材を交換するには、溶接部を斫りとって、新しい部材に取り換えて溶接した後、アルマイト処理する必要があるが、これらの作業を使用者が行うのは困難であり費用がかかる。このため、一般に、一部に損傷が生じた場合でも、パレット全体を交換していた。このようなことから、パレットを使用する業界では、損傷した構成部材のみを容易に交換できるパレットが望まれている。
【０００３】
従来、構成部材の一部を交換できるパレットとして、特許文献１には、桁材を互いに摺動嵌合する上部桁材と下部桁材とで構成し、上部桁材にデッキボードを固定ねじで固定したパレットが記載されている。また、特許文献２には、内向きフランジを有するデッキボードと、外向きフランジを有する脚とで構成し、デッキボードの切欠きに脚のフランジを通し、脚フランジとデッキボードのフランジとをリベットで固定するパレットが記載されている。特許文献３には、縦桁にデッキ材載置壁とデッキ材押さえ壁と対向壁とを形成し、デッキ材載置壁とデッキ材押さえ壁の間にデッキ材の端部を挿入して、縦桁のデッキ材載置壁とデッキ材をかしめ接合するパレットが記載されている。
【０００４】
特許文献１−３のパレットは、デッキボードの交換は可能であるが、デッキボードをスライドさせる構造であるため、交換の必要のないデッキボードも一旦外す必要があり、交換作業は容易でないし、煩雑である。
【０００５】
特許文献４には、桁材の上端壁の透孔にブラインドナットを締結し、デッキ材の上部板材の挿入案内孔から固定ねじを挿入し、デッキ材の下部板部の取付孔を貫通させてブラインドナットに着脱可能に締結し、デッキ材の挿入案内孔にキャップ部材を被着したパレットが記載されている。
【０００６】
特許文献４のパレットは、損傷した一部のデッキ材のみを交換可能であるが、デッキ材の下部板部のみが桁材の上端壁と固定ねじで締結され、デッキ材の端面が桁材の起立壁に当接しているだけであるので、使用時に固定ねじやブラインドナットに力が集中し、耐久性が悪い。
【先行技術文献】
【特許文献】
【０００７】
【特許文献１】実開平７−２２２６号公報
【特許文献２】実開昭５４−９３９６９号公報
【特許文献３】特開２０１３−１２９４３８号公報
【特許文献４】特開２００２−１６０７３５号公報
【発明の概要】
【発明が解決しようとする課題】
【０００８】
本発明は斯かる従来の問題点に鑑みてなされたもので、構成部材の一部を簡単に交換することができる耐久性の良いパレットを提供することを課題とする。
【課題を解決するための手段】
【０００９】
本発明に係るパレットは、
平行に配設された複数の中空の桁材と、
前記桁材に直交するように前記桁材に一定間隔で載置された複数の中空のデッキ材と、
前記デッキ材の両端に出し入れ可能に設けられたデッキ中材と、
前記桁材の側壁と前記デッキ材の底壁を連結して固定する固定部材とを有し、
前記桁材に、前記デッキ材の両端から突出する前記デッキ中材を挿入する凹部と、前記デッキ材の両端部を支持する支持部とが形成され、
前記固定部材は、前記桁材の側壁を貫通する第１固着部材と、前記デッキ材の底壁及び前記デッキ中材の底壁を貫通する第２固着部材とにより固定されている。
【００１０】
本発明では、桁材の両端に位置するデッキ材を交換するには、第１固着部材を破壊し、桁材の長手方向に引き抜くだけで取り外して交換することができる。桁材の中間に位置するデッキ材を交換するには、第１固着部材と第２固着部材を破壊して、デッキ中材を桁材の凹部からデッキ材の中に押し入れることによりデッキ材を取り外して交換することができる。デッキ材の両端から突出するデッキ中材が桁材の凹部に挿入されるとともに、桁材の側面とデッキ材の底面が第１固着部材と第２固着部材により固定部材で固定されていることにより、使用時に作用する力が分散されるので、耐久性がよい。
【００１１】
前記桁材の間に配設され、前記デッキ材の中間部を支持する中間桁材と、
前記中間桁材の側壁と前記デッキ材の底壁を連結して固定する中間固定部材とをさらに有し、
前記中間固定部材は、前記中間桁材の側壁を貫通する第３固着部材と、前記デッキ材の底壁を貫通する第４固着部材により固定されていることが好ましい。
【００１２】
前記デッキ材は、両側端より下方に突出するリブを有し、前記リブの下面が前記支持部に支持されていることが好ましい。リブによりデッキ材の剛性を高めることができる。
【００１３】
前記凹部は、前記桁材の上面と、該上面から立ち上がる垂直片と、該垂直片の上端から水平に延びる水平片とで形成され、前記デッキ材の端面に向かって開口していることが好ましい。
この凹部の構造により、デッキ中材を確実に保持することができる。
【００１４】
前記桁材の上壁に段部が形成され、前記段部の内側に前記支持部が形成され、前記段部の外側に凹部が形成され、前記支持部は前記凹部より低い位置に形成されていることが好ましい。
この段部により、デッキ中材とデッキ材の段差を吸収することができ、デッキ中材とデッキ材を確実に支持することができる。
【００１５】
前記デッキ中材は、中空で、前記デッキ材の幅方向に両端が開口していることが好ましい。これにより、デッキ中材の突出部分の先端が閉じた状態になるので、強度が向上する。また、前記デッキ中材は、中空で、前記デッキ材の長手方向に両端が開口していてもよい。これにより、デッキ中材の両端の開口部が見えないので美観が向上する。
【発明の効果】
【００１６】
本発明によれば、第１固着部材と第２固着部材を破壊して、デッキ中材を桁材の凹部からデッキ材の中に押し入れるだけで、損傷した一部のデッキ材を容易に交換することができる。また、デッキ中材、固定部材、第１固着部材、第２固着部材を使用するので、使用時に作用する力が分散され、耐久性がよい。さらに、固着部材で固定するので、交換後にアルマイト処理が不要であり、交換部材としてアルマイト材をそのまま使用できることから、使用者でも簡単に交換できるという効果を有している。
【図面の簡単な説明】
【００１７】
【図１】本発明の一実施形態に係るパレットの斜視図。
【図２】図１のII方向端面図。
【図３】図１のIII方向端面図。
【図４】図１のＩＶ方向端面図。
【図５】図２のＶ−Ｖ線断面図。
【図６】図１のパレットの桁材の分解断面図。
【図７】図１のパレットの中間桁材の分解断面図
【図８】図１のパレットのデッキ材の断面図及び固定部材の正面図及び側面図。
【図９】図１のパレットのデッキ材及びデッキ中材の正面図及び平面図。
【図１０】桁材とデッキ材の取付構造を示す分解斜視図。
【図１１】中間桁材とデッキ材の取付構造を示す分解斜視図。
【図１２】桁材の両端に位置するデッキ材の交換手順を示す図。
【図１３】リベットの破壊手順を示す図。
【図１４】桁材の中間に位置するデッキ材の交換手順を示す図。
【図１５】上のデッキ材全体の交換手順を示す図。
【発明を実施するための形態】
【００１８】
以下、本発明の実施形態を添付図面に従って説明する。
【００１９】
図１−５は、本発明の一実施形態に係るパレットを示す。パレット１は、大略、両側に位置する２つの桁材２，２と、該桁材２，２の中間に位置する１つの中間桁材３と、複数（図に示す実施形態では６つ）のデッキ材４とから構成されている。桁材２，２と中間桁材３は平行に配設されている。デッキ材４は、桁材２，２及び中間桁材３に直交するように、桁材２，２と中間桁材３の図において上面及び下面に載置されている。このため、本実施形態のパレット１は、両面使用可能である。下面のデッキ材４を無くして、片面のみ使用可能とすることもできる。
【００２０】
桁材２は、図６に示すように、上部桁材５と、下部桁材６と、２つの連結部材７とで構成されている。
【００２１】
上部桁材５は、上壁５ａ、内側壁５ｂ、外側壁５ｃ、底壁５ｄからなる略矩形の中空アルミニウム押出成形材で形成されている。上部桁材５の上壁５ａには、段部８が形成され、段部８より内側半分にデッキ材４の端部を支持する支持部９が形成され、段部８より外側半分に後述するデッキ中材３１を支持する中材支持部１０が形成されている。支持部９は中材支持部１０より低く形成されている。この段部８により、デッキ材４に挿入されるデッキ中材３１とデッキ材４の段差を吸収することができ、デッキ中材３１とデッキ材４を確実に支持することができる。
【００２２】
上部桁材５の上壁５ｂには、中材支持部１０の外側縁部から上方に立ち上がる垂直片１１と、該垂直片１１の上端から段部８と同じ位置まで水平に延びる水平片１２とが形成されている。中材支持部１０と、垂直片１１と、水平片１２とで、後述するデッキ中材３１が挿入される凹部１３が形成されている。凹部１３の高さ、すなわち、中材支持部１０と水平片１２との間の寸法は、デッキ中材３１の厚さより僅かに大きい。凹部１３は、デッキ材４の端面に向かって開口している。この凹部１３の構造により、デッキ中材３１を確実に保持することができる。また、デッキ中材３１を隠すことができるとともに、デッキ材４の端面を覆うことができるので、美観が向上する。
【００２３】
上部桁材５の内側壁５ｂ及び外側壁５ｃには、係合溝１４が形成されている。係合溝１４は、各側壁５ｂ，５ｃから内方に突出するＵ字形部１５により形成されている。Ｕ字形部１５の一方の縁から外方に延びる係合片１６が設けられている。上部桁材５の内側壁５ｂには、係合溝１４の上に、１つのデッキ材４に対して２箇所のリベット孔１７が形成され、係合溝１４の下に、長手方向の３箇所にリベット孔１８が形成されている。上部桁材５の外側壁５ｃにも、係合溝１４の下に、長手方向の３箇所にリベット孔１８が形成されている。
【００２４】
下部桁材６は、上部桁材５と同じ略矩形の中空アルミニウム押出成形材で形成されているので、対応する部分には同じ符号を附して説明を省略する。下部桁材６は、底壁５ａを上にし、凹部１３が同じ方向を向くようにして、底壁５ａを上部桁材５の底壁５ａに重ね合わせることにより、この合わせ面に対して上部桁材５と対称な断面形状を有するように配設されている。
【００２５】
連結部材７は、板状のアルミニウム押出成形材で形成されている。連結部材７は、基部７ａの上端及び下端にＵ字形部１９が設けられ、該Ｕ字形部１９により上部桁材５と下部桁材６の突片１６が係合する係合溝２０が形成されている。Ｕ字形部１９の一方の縁は水平に延びて、上部桁材５及び下部桁材６の係合溝１４に係合する係合片２１が形成されている。連結部材７には、上部桁材５のリベット孔１８及び下部桁材６のリベット孔１８と同じ位置にリベット孔２２が形成されている。
【００２６】
上部桁材５と上部桁材６は、図２、図３に示すように、互いに重ね合わせられ、連結部材７により連結される。すなわち、連結部材７の係合溝２０に上部桁材５と下部桁材６の係合片１６が係合するとともに、連結部材７の係合片２１が上部桁材５と下部桁材６の係合溝１４に係合するようにして、連結部材７を上部桁材５と上部桁材６の内側面５ｂ及び外側面５ｃに当て、連結部材７のリベット孔２２と上部桁材５と上部桁材６のリベット孔１８とを貫通するリベット２３により固定されている。リベット２３としては、ブラインドリベットが使用される。このリベット構造と２重の嵌合構造により、上部桁材５と下部桁材６は強固に連結されている。
【００２７】
中間桁材３は、図７に示すように、桁材２と同様、上部中間桁材２４と、下部中間桁材２５と、２つの中間連結部材２６とから構成されている。上部中間桁材２４と下部中間桁材２５は、前述の桁材２のような段部８、中材支持部１０、垂直片１１及び水平片１２がなく、上壁全体がデッキ材４の中間部を支持する支持部９となっている以外は、桁材２と同様の形状と、組立構造を有するので、対応する部分には同一符号を附して説明を省略する。中間連結部材２６は、上部中間桁材２４と下部中間桁材２５を連結するもので、前述の桁材２の連結部材７と同様であるので、対応する部分には同一符号を附して説明を省略する。
【００２８】
デッキ材４は、図８に示すように、上壁４ａ、側壁４ｂ、側壁４ｃ、底壁４ｄからなる中空アルミニウム押出成形材で板状に形成されている。デッキ材４の内部には、上壁４ａと底壁４ｄの間に長手方向に延びる補強部２８が形成されている。デッキ材４の底壁４ｄの両側縁には下方に突出し、かつ、長手方向に延びるリブ２９が形成されている。このリブ２９と補強部２８によりデッキ材４の曲げに対する剛性が高められている。デッキ材４の底壁４ｄの両端部にそれぞれ２箇所、中間部に４箇所のリベット孔３０が形成されている。デッキ材４の両端には、デッキ中材３１が出し入れ可能に挿入されている。
【００２９】
デッキ中材３１は、図９に示すように、上壁３１ａ、側壁３１ｂ、側壁３１ｃ、底壁３１ｄからなる中空アルミニウム押出成形材で板状に形成されている。デッキ中材３１は、デッキ材４の両端にそれぞれ２つずつ挿入されている。デッキ中材３１は、両側の開口部が、デッキ材４の幅方向に向くように、デッキ材４に挿入されている。このため、デッキ中材３１の突出部分の先端が閉じた状態になるので、強度が向上する。デッキ中材３１は、デッキ材４の両端から突出し、その突出代は、桁材２の凹部１３の深さと同じである。デッキ中材３１の底壁３１ｄには、デッキ材４の両端部のリベット孔３０と対向する位置にリベット孔３２が形成されている。
【００３０】
デッキ材４の底壁４ｄは、固定部材３３を介して、桁材２の内側壁５ｂと固定されている。また、デッキ材４の底壁４ｄは、中間固定部材３４を介して、中間桁材３の両側壁５ｂ，５ｃと固定されている。
【００３１】
固定部材３３は、図８に示すように、垂直部３３ａと水平部３３ｂとからなるアングル状のアルミニウム押出成形材で形成されている。固定部材３３は、桁材２の長手方向に平行に配設されている。固定部材３３の垂直部３３ａには、桁材２のリベット孔１７と対向する位置にリベット孔３５が形成され、水平部３３ｂにも、デッキ材４のリベット孔１８と対向する位置にリベット孔３６が形成されている。
中間固定部材３４は、固定部材３３と同様であるので、対応する部分には同一符号を附して説明を省略する。
【００３２】
固定部材３３は、図１０に示すように、垂直部３３ａを桁材２の内側壁５ｂに当接してリベット孔３５から桁材２のリベット孔１７にリベット（第１リベット）３７を貫通させて固定され、水平部３３ｂをデッキ材４の底壁４ｄに当接してリベット孔３６からデッキ材４のリベット孔３０とデッキ中材３１のリベット孔３２にリベット（第２リベット）３８を貫通させて固定され、これにより、桁材２とデッキ材４、デッキ中材３１の三者を固定している。
【００３３】
また、中間固定部材３４は、図１１に示すように、垂直部３３ａを中間桁材３の内側壁５ｂに当接してリベット孔３５からリベット孔１７にリベット（第３リベット）３９を貫通させて固定され、水平部３３ｂをデッキ材４の底壁４ｄに当接してリベット孔３６からデッキ材４のリベット孔３０にリベット（第４リベット）４０を貫通させて固定され、これにより、中間桁材３とデッキ材４を固定している。第１リベット３７、第２リベット３８、第３リベット３９、第４リベット４０としては、ブラインドリベットが使用される。
【００３４】
次にパレット１の構成部材の一部が損傷したときに、当該構成部材を交換する場合について説明する。
【００３５】
＜交換手順１＞
桁材２の両端に位置するデッキ材４を交換する場合、図１２（ａ）に示すように、当該デッキ材４と桁材２及び中間桁材３を固定している固定部材３３の第１リベット３７と、デッキ材４と中間桁材３を固定している中間固定部材３４の第３リベット３９を公知の手段により破壊する。
【００３６】
一例を示すと、図１３に示すように、例えばリベット３７の頭部３７ａにリベットボディ３７ｂより大きい径のドリル４１にて穴４２を開け、頭部３７ａをリベットボディ３７ｂから分離した後、リベットボディ３７ｂにポンチ４３を当てて図示しないハンマーで打ち込み、リベットボディ３７ｂをリベット孔１７，３５から離脱させることで行うことができる。このリベット３７の破壊作業は、パレット１の正面又は背面の空間、及び隣接するデッキ材４の間の隙間から手を入れて行うことができる。
【００３７】
リベット３７，３９を破壊した後、図１２（ｂ）に示すように、デッキ材４を桁材２の端へ向かってスライドさせ、パレット１から外す。続いて、図１２（ｃ）に示すように、外したデッキ材４の固定部材３３の第２リベット３８と、固定部材３４の第４リベット４０を破壊し、デッキ材４とデッキ中材３１を固定部材３３から分離し、新たなデッキ材４及びデッキ中材３１と交換する。デッキ中材３１が使用できる場合は、デッキ材４のみを交換してもよい。
【００３８】
新たなデッキ材４の取り付けは、取り外し作業の逆の手順で行える。すなわち、新たなデッキ材４に第２リベット３８でデッキ中材３１と固定部材３３を取り付け、第４リベット４０で中間固定部材３４を取り付けた後、デッキ材４を桁材２及び中間桁材３に差し込み、所定位置までスライドさせた後、図示しないリベッターを用いて、第１リベット３７、第３リベット３９により固定部材３３と桁材２及び、固定部材３４と中間桁材３を固定する。
【００３９】
＜交換手順２＞
桁材２の中間に位置するデッキ材４を交換するには、図１４（ａ）に示すように、当該デッキ材４と桁材２を固定している固定部材３３の第１リベット３７、及び当該デッキ材４と中間桁材３と固定している中間固定部材３４の第３リベット３９を破壊する。このリベットの破壊作業は、デッキ材４とデッキ材４の間の隙間から手を入れて行うことができる。
【００４０】
リベット３７，３９を破壊した後、図１４（ｂ）に示すように、デッキ材４を隣接する一方（図では左方）のデッキ材４に向かってスライドさせ、下のデッキ材４より２０ｍｍ程度ずらす。続いて、下のデッキ材４とデッキ材４の隙間から、手を入れて、交換するデッキ材４の固定部材３３の一方の第２リベット３８と、中間固定部材３４の一方の第４リベット４０を破壊する。同様に、デッキ材４を隣接する他方（図では右方）のデッキ材４に向かってスライドさせ、下のデッキ材４より２０ｍｍ程度ずらし、交換するデッキ材４の固定部材３３の他方の第２リベット３８と、中間固定部材３４の他方の第４リベット４０を破壊する。このとき、固定部材３３，３４が桁材２及び中間桁材３から離脱しないように、テープ等で固定しておくことが好ましい。
【００４１】
このように、第２リベット３８、第４リベット４０を破壊した後、図１４（ｃ）に示すように、デッキ材４の両端のデッキ中材３１をドライバ等を利用して桁材２の凹部１３からデッキ材４の中に押し込み、デッキ材４をパレット１から上方に外し、新たなデッキ材４及びデッキ中材３１と交換する。デッキ中材３１が使用できる場合は、デッキ材４のみを交換してもよい。
【００４２】
新たなデッキ材４の取り付けは、取り外し作業の逆の手順で行える。すなわち、新たなデッキ材４にデッキ中材３１を挿入した状態で、パレット１の所定位置から２０ｍｍ程度ずれた位置に載置し、デッキ中材３１をデッキ材４の端部から引き出し、桁材２の凹部１３に挿入する。続いて、デッキ材４に第２リベット３８で固定部材３３を取り付けるとともに、第４リベット４０で中間固定部材３４を取り付けた後、デッキ材４を所定位置までスライドさせた後、リベッターを用いて、第１リベット３７により固定部材３３と桁材２を固定するとともに、第３リベット３９による固定部材３４と中間桁材３を固定する。
【００４３】
＜交換手順３＞
パレット１の一方の面の全てのデッキ材４すなわち上部パレット全体を交換するには、図１５に示すように、連結部材７と中間連結部材２６の全てのリベット２３を破壊し、連結部材７と中間連結部材２６を桁材２及び中間桁材３から分離すると、上部桁材５、上部中間桁材２４及びデッキ材４を取り外し、新たな上部パレットに交換することができる。
【００４４】
＜交換手順４＞
交換手順１，２に示すように、一部のデッキ材４を交換する場合でも、交換手順３と同様に、連結部材７と中間連結部材２６の全てのリベット２３を破壊し、連結部材７と中間連結部材２６を桁材２及び中間桁材３から分離し、上部又は下部パレット全体を取り外してから、当該パレットを裏返し、当該一部のデッキ材４を固定しているリベット３７，３８を破壊して交換するようにしてもよい。
【００４５】
以上のように、本発明のパレットは、損傷した一部の部材を簡単に交換することができる。このため、荷役用にパレットを使用する使用者は、デッキ材の一部が損傷した場合、その部材だけを購入して、自ら交換作業を行い、再使用することができる。また、損傷した場合の部品交換だけでなく、使用者が望むカラーのデッキ材を取り付けて納品することも可能である。
【００４６】
本発明は、前記実施形態に限るものではなく、特許請求の範囲に記載した発明の範囲内で種々修正、変形することができる。
【００４７】
例えば、前記実施形態では、両面型のパレットであるが、片面型のパレットとしてもよい。また、デッキ材４のピッチや個数は任意である。特に、デッキ材４を固定するリベット３７のリベット孔１７を桁材２の長手方向に長い長孔とし、デッキ材４を桁材２の長手方向にスライド可能にして、部分的にデッキ材４の間の隙間を変えられるようにしてもよい。さらに、前記実施形態では固着部材としてブラインドリベットを用いたが、ブラインドナットを使用するねじを用いてもよい。さらに、前記実施形態ではアルミニウム製パレットを用いたが、ステンレス等の他の金属製パレットにも適用できる。
【００４８】
前記実施形態では、デッキ中材３１は、両側の開口部が、デッキ材４の幅方向に向くように、デッキ材４に挿入されているが、両側の開口部が、デッキ材４の長手方向に向くように、デッキ材４に挿入されてもよい。これにより、デッキ材４の両側の開口部が外部から見えなくなるので、美観が向上する。また、パレットの材質は、アルミニウムに限らす、鉄、ステンレス等の他の金属、あるいは合成樹脂でもよい。アルミニウム押出成形材の板厚は、１．６ｍｍ、２ｍｍ等、任意である。
【符号の説明】
【００４９】
１  パレット
２  桁材
３  中間桁材
４  デッキ材
８  段部  
９  支持部
１０  中材支持部
１１  垂直片
１２  水平片
１３  凹部
２９  リブ
３１  デッキ中材
３３  固定部材
３４  中間固定部材
３７  リベット（第１リベット）
３８  リベット（第２リベット）
３９  リベット（第３リベット）
４０  リベット（第４リベット）
【図１】
2019048655.tif 000003
【図２】
2019048655.tif 000004
【図３】
2019048655.tif 000005
【図４】
2019048655.tif 000006
【図５】
2019048655.tif 000007
【図６】
2019048655.tif 000008
【図７】
2019048655.tif 000009
【図８】
2019048655.tif 000010
【図９】
2019048655.tif 000011
【図１０】
2019048655.tif 000012
【図１１】
2019048655.tif 000013
【図１２】
2019048655.tif 000014
【図１３】
2019048655.tif 000015
【図１４】
2019048655.tif 000016
【図１５】
2019048655.tif 000017
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
平行に配設された複数の中空の桁材と、
前記桁材に直交するように前記桁材に一定間隔で載置された複数の中空のデッキ材と、
前記デッキ材の両端に出し入れ可能に設けられたデッキ中材と、
前記桁材の側壁と前記デッキ材の底壁を連結して固定する固定部材とを有し、
前記桁材に、前記デッキ材の両端から突出する前記デッキ中材を前記デッキ材の長手方向に挿入し引き出すことができる凹部と、前記デッキ材の両端部を支持する支持部とが形成され、
前記固定部材は、前記桁材の側壁を貫通する第１固着部材と、前記デッキ材の底壁及び前記デッキ中材の底壁を貫通する第２固着部材とにより固定され、
前記第１固着部材と前記第２固着部材を破壊して、前記デッキ中材を前記桁材の前記凹部から前記デッキ材の中に押し入れることにより前記デッキ材を取り外して交換できるように構成されていることを特徴とするパレット。
【請求項２】
前記桁材の間に配設され、前記デッキ材の中間部を支持する中間桁材と、
前記中間桁材の側壁と前記デッキ材の底壁を連結して固定する中間固定部材とをさらに有し、
前記中間固定部材は、前記中間桁材の側壁を貫通する第３固着部材と、前記デッキ材の底壁を貫通する第４固着部材により固定されていることを特徴とする請求項１に記載のパレット。
【請求項３】
前記デッキ材は、両側端より下方に突出するリブを有し、前記リブの下面が前記支持部に支持されていることを特徴とする請求項１又は２に記載のパレット。
【請求項４】
前記凹部は、前記桁材の上面と、該上面から立ち上がる垂直片と、該垂直片の上端から水平に延びる水平片とで形成され、前記デッキ材の端面に向かって開口していることを特徴とする請求項１〜３のいずれかに記載のパレット。
【請求項５】
前記桁材の上壁に段部が形成され、前記段部の内側に前記支持部が形成され、前記段部の外側に凹部が形成され、前記支持部は前記凹部より低い位置に形成されていることを特徴とする請求項１〜４のいずれかに記載のパレット。
【請求項６】
前記デッキ中材は、中空で、前記デッキ材の幅方向に両端が開口していることを特徴とする請求項１〜５のいずれかに記載のパレット。
【請求項７】
前記デッキ中材は、中空で、前記デッキ材の長手方向に両端が開口していることを特徴とする請求項１〜５のいずれかに記載のパレット。
【手続補正２】
【補正対象書類名】明細書
【補正対象項目名】０００９
【補正方法】変更
【補正の内容】
【０００９】
本発明に係るパレットは、
平行に配設された複数の中空の桁材と、
前記桁材に直交するように前記桁材に一定間隔で載置された複数の中空のデッキ材と、
前記デッキ材の両端に出し入れ可能に設けられたデッキ中材と、
前記桁材の側壁と前記デッキ材の底壁を連結して固定する固定部材とを有し、
前記桁材に、前記デッキ材の両端から突出する前記デッキ中材を前記デッキ材の長手方向に挿入し引き出すことができる凹部と、前記デッキ材の両端部を支持する支持部とが形成され、
前記固定部材は、前記桁材の側壁を貫通する第１固着部材と、前記デッキ材の底壁及び前記デッキ中材の底壁を貫通する第２固着部材とにより固定され、
前記第１固着部材と前記第２固着部材を破壊して、前記デッキ中材を前記桁材の前記凹部から前記デッキ材の中に押し入れることにより前記デッキ材を取り外して交換できるように構成されている。